(57)【特許請求の範囲】
【請求項１】
２つのポートと、これらのポートを連通させる流路中の弁座と、該弁座に対向する開口とを備えた弁ボディと、該開口を気密に塞ぐボンネットと、該ボンネット内に設けたシリンダにより駆動され上記弁座を開閉する弁体と、該ボンネットを上記弁ボディに着脱自在に取り付ける取付け手段とを備えた２ポート弁において、
上記取付け手段は、上記ボンネット内を通り該ボンネットの上端部よりも上方に突出し上端部に係止溝を有する上記弁ボディに固着した複数のシャフトと、上記ボンネットの上端部に固着したカラーに回動可能且つ押し下げ回動位置で押し下げ可能に取り付けられたハンドルと、上記ボンネットの上端部と上記ハンドルとの間に回動可能に設けられて回動により上記シャフトの係止溝に係合または離脱する係合溝を有するプレートと、上記ハンドルの押し下げ回動位置で上記プレートに設けた係合孔に係合し上記ハンドルの回動を上記プレートに伝達する上記ハンドルに固着された押し下げ防止ピンとを有する、
ことを特徴とする保守簡易形２ポート弁。
【請求項２】
上記カラーは、上記ハンドル及び上記プレートをそれらの中央部分に設けた貫通孔を介してガイドする中空円筒状のガイド部と、該ガイド部の下端に設けられ上記ボンネット上端部に固着される拡径フランジ部とを有しており、
上記ガイド筒は、上記ハンドル及び上記プレートを離間する方向に付勢するコイルばねを遊嵌していると共に、その上端部に上記コイルばねの付勢力により上方に移動しようとする上記ハンドルの移動を阻止する固定リングを着脱自在に装着している、
ことを特徴とする請求項１に記載の保守簡易形２ポート弁。
【請求項３】
上記コイルばねは、その一方及び他方の端部がそれぞれ上記ハンドル及び上記プレートに連結されており、上記ハンドルを上記プレートに対し相対的に回転させることにより回転方向の付勢力を蓄積し、上記ハンドルの押し下げ動作をやめると蓄積された軸方向の付勢力により上記ハンドルと上記プレートとを相互に離間させて上記ハンドルに固着された押し下げ防止ピンと上記プレートに設けた係合孔との係合を解除すると共に、蓄積された回転方向の付勢力により上記ハンドルまたは上記プレートを逆方向に相対回転させて元の回転位置に復帰させる、
ことを特徴とする請求項２に記載の保守簡易形２ポート弁。
【請求項４】
上記ボンネットは、その下端部にベローズホルダーを止めリングを介して着脱自在に固着すると共に、該ベローズホルダーを上記弁ボディの開口に設けた環状の段部にシール材を介して収納することにより、上記弁ボディの開口を気密に塞いでおり、
該ベローズホルダーの内周面と上記弁体には、該弁体に連結された弁棒を囲むベローズの両端が気密に固着されている、
ことを特徴とする請求項１〜請求項３のいずれかに記載の保守簡易形２ポート弁。
【請求項５】
上記ハンドルはその下面に上記シャフトの上端が相対的に回動できるように挿入された長円溝を有し、
上記ハンドルの長円溝の一方の内周壁が上記シャフトの上端に衝突する回動位置が、上記ハンドルの押し下げ回動位置であり、
該プレートと共に回動する上記ハンドルの長円溝の他方の内周壁が上記シャフトの上端に衝突する回動位置が、上記プレートの係合溝が上記シャフトの係止溝から離脱する位置である、
ことを特徴とする請求項１〜請求項４のいずれかに記載の保守簡易形２ポート弁。
【請求項６】
上記カラーは上記ボンネットの上端部に六角孔付きボルトにより固着され、
上記プレートは上記六角孔付きボルトの頭部が挿入される長円孔を有し、
上記プレートの長円孔の一方の内周壁が上記ボルトの頭部に衝突する回動位置が、上記プレートの係合溝が上記シャフトの係止溝に係合する位置であり、
上記プレートの長円孔の他方の内周壁が上記ボルトの頭部に衝突する回動位置が、上記プレートの係合溝が上記シャフトの係止溝から離脱する位置である、
ことを特徴とする請求項１〜請求項５のいずれかに記載の保守簡易形２ポート弁。
【請求項７】
上記ボンネットは、その先端部がボンネットの上端部より突出するようにばねにより付勢された先端部がテーパ状のロックピンと、該ロックピンを収納するロックピン穴とを有し、
上記プレートは、上記ロックピンが挿入されるロック孔と上記ロックピンの先端部の先端のみが挿入される該プレートの下面に設けた小さなロック窪みとを有し、
上記プレートの係合溝が上記シャフトの係止溝に係合する回動位置では、上記ロックピンが上記ロック孔に挿入されて上記プレートと上記ボンネットとをロックし、
上記プレートが上記シャフトから離脱する回動位置では、上記ロックピンが上記ロック孔から離脱してその先端部の先端が上記ロック窪みに挿入されることにより上記プレートと上記ボンネットとをロックする、
ことを特徴とする請求項１〜請求項６のいずれかに記載の保守簡易形２ポート弁。
【請求項８】
上記ハンドルは、その先端がハンドルの下面から下方に突出するように付勢された突出ピンを有し、
該突出ピンは、上記プレートに設けた円孔内に相対的に回動できるように挿入されると共に、ボンネットが弁ボディに固着される位置では上記ハンドルの逆方向の回動を防止する、
ことを特徴とする請求項１〜請求項７のいずれかに記載の保守簡易形２ポート弁。
【発明の詳細な説明】
【０００１】
【発明の属する技術分野】
本発明は、高真空Ｌ形弁等に用いられる保守が簡易な２ポート弁に関するものである。
【０００２】
【従来の技術】
高真空Ｌ形弁等に用いられる２ポート弁は、図１８に示すように公知である。該公知の２ポート弁は、弁ボディ１１１が、直交する方向に形成したポート１１２，１１３と、これらのポート１１２と１１３を連通させる流路中の弁座１１４と、弁座１１４に対向する開口１１５とを備え、開口１１５にベローズプレート１１６を介して気密に取付けられたボンネット１１７に、弁体１２３を駆動するための空気圧シリンダ１１９のシリンダ１２０が形成されている。
【０００３】
上記弁座１１４を開閉する弁体１２３の弁棒１２４は、ボンネット１１７を気密に貫通して空気圧シリンダ１１９のピストン１２１に連結されており、弁体１２３とボンネット１１７との間に復帰ばね１２５が縮設されている。また、ボンネット１１７には、ピストン１２１で区画されたベローズプレート１１６側の圧力室１２６に圧縮空気を給排するポート１２７が開設されている。
上記ベローズプレート１１６の内周面と弁体１２３には、弁棒１２４を囲むベローズ１２８の両端が気密に固着されており、弁体１２３における弁座１１４との対向面には、シールリング１３１を取付けるための環状の取付溝１３０が形成されている。
【０００４】
しかし、該公知の２ポート弁は、弁体１２３のシールリング１３１を交換したり、ベローズ１２８や弁ボディ１１１の内面を洗浄するために、ボンネット１１７を弁ボディ１１１から取り外す必要があるが、ボンネット１１７が弁ボディ１１１にボルト（図示せず）により固着されているために、該ボルトを回して弁ボディ１１１から取り外す必要があり、ボンネット１１７を弁ボディ１１１に取り付けたり取り外すのが容易でないことから、メンテナンスに時間がかかるという問題があった。
【０００５】
【発明が解決しようとする課題】
本発明は、このような問題を解消するためになされたもので、その技術的課題は、弁ボディとボンネットの分解・組立が容易で、保守が簡易な２ポート弁を提供することにある。
また、本発明の他の技術的課題は、簡単に分解できる構造でありながら、ボンネットが誤動作で弁ボディから離脱するということがない安全な２ポート弁を提供することにある。
【０００６】
【課題を解決するための手段】
上記課題を解決するために、本発明に係る保守簡易形２ポート弁は、２つのポートと、これらのポートを連通させる流路中の弁座と、該弁座に対向する開口とを備えた弁ボディと、該開口を気密に塞ぐボンネットと、該ボンネット内に設けたシリンダにより駆動され上記弁座を開閉する弁体と、該ボンネットを上記弁ボディに着脱自在に取り付ける取付け手段とを備えた２ポート弁において、上記取付け手段が、上記ボンネット内を通り該ボンネットの上端部よりも上方に突出し上端部に係止溝を有する上記弁ボディに固着した複数のシャフトと、上記ボンネットの上端部に固着したカラーに回動可能且つ押し下げ回動位置で押し下げ可能に取り付けられたハンドルと、上記ボンネットの上端部と上記ハンドルとの間に回動可能に設けられて回動により上記シャフトの係止溝に係合または離脱する係合溝を有するプレートと、上記ハンドルの押し下げ回動位置で上記プレートに設けた係合孔に係合し上記ハンドルの回動を上記プレートに伝達する上記ハンドルに固着された押し下げ防止ピンとを有することを特徴とするものである。
【０００７】
上記保守簡易形２ポート弁は、上記カラーが、上記ハンドル及び上記プレートをそれらの中央部分に設けた貫通孔を介してガイドする中空円筒状のガイド部と、該ガイド部の下端に設けられ上記ボンネット上端部に固着される拡径フランジ部とを有しており、上記ガイド筒が、上記ハンドル及び上記プレートを離間する方向に付勢するコイルばねを遊嵌していると共に、その上端部に上記コイルばねの付勢力により上方に移動しようとする上記ハンドルの移動を阻止する固定リングを着脱自在に装着しているのが適切である。
【０００８】
また、上記保守簡易形２ポート弁は、上記コイルばねが、その一方及び他方の端部がそれぞれ上記ハンドル及び上記プレートに連結されており、上記ハンドルを上記プレートに対し相対的に回転させることにより回転方向の付勢力を蓄積し、上記ハンドルの押し下げ動作をやめると蓄積された軸方向の付勢力により上記ハンドルと上記プレートとを相互に離間させて上記ハンドルに固着された押し下げ防止ピンと上記プレートに設けた係合孔との係合を解除すると共に、蓄積された回転方向の付勢力により上記ハンドルまたは上記プレートを逆方向に相対回転させて元の回転位置に復帰させるのが好ましい。
【０００９】
また、上記保守簡易形２ポート弁は、上記ボンネットが、その下端部にベローズホルダーを止めリングを介して着脱自在に固着すると共に、該ベローズホルダーを上記弁ボディの開口に設けた環状の段部にシール材を介して収納することにより、上記弁ボディの開口を気密に塞いでおり、該ベローズホルダーの内周面と上記弁体には、該弁体に連結された弁棒を囲むベローズの両端が気密に固着されているのが適切である。
【００１０】
また、上記保守簡易形２ポート弁は、上記ハンドルがその下面に上記シャフトの上端が相対的に回動できるように挿入された長円溝を有し、上記ハンドルの長円溝の一方の内周壁が上記シャフトの上端に衝突する回動位置が、上記ハンドルの押し下げ回動位置であり、該プレートと共に回動する上記ハンドルの長円溝の他方の内周壁が上記シャフトの上端に衝突する回動位置が、上記プレートの係合溝が上記シャフトの係止溝から離脱する位置であるのが好ましい。
【００１１】
また、上記保守簡易形２ポート弁は、上記カラーが上記ボンネットの上端部に六角孔付きボルトにより固着され、上記プレートは上記六角孔付きボルトの頭部が挿入される長円孔を有し、上記プレートの長円孔の一方の内周壁が上記ボルトの頭部に衝突する回動位置が、上記プレートの係合溝が上記シャフトの係止溝に係合する位置であり、上記プレートの長円孔の他方の内周壁が上記ボルトの頭部に衝突する回動位置が、上記プレートの係合溝が上記シャフトの係止溝から離脱する位置であるのが適切である。
【００１２】
また、上記保守簡易形２ポート弁は、上記ボンネットが、その先端部がボンネットの上端部より突出するようにばねにより付勢された先端部がテーパ状のロックピンと、該ロックピンを収納するロックピン穴とを有し、上記プレートが、上記ロックピンが挿入されるロック孔と上記ロックピンの先端部の先端のみが挿入される該プレートの下面に設けた小さなロック窪みとを有し、上記プレートの係合溝が上記シャフトの係止溝に係合する回動位置では、上記ロックピンが上記ロック孔に挿入されて上記プレートと上記ボンネットとをロックし、上記プレートが上記シャフトから離脱する回動位置では、上記ロックピンが上記ロック孔から離脱してその先端部の先端が上記ロック窪みに挿入されることにより上記プレートと上記ボンネットとをロックするのが好ましい。
【００１３】
また、上記保守簡易形２ポート弁は、上記ハンドルが、その先端がハンドルの下面から下方に突出するように付勢された突出ピンを有し、該突出ピンが、上記プレートに設けた円孔内に相対的に回動できるように挿入されると共に、ボンネットが弁ボディに固着される位置では上記ハンドルの逆方向の回動を防止するのが適切である。
【００１４】
上記保守簡易形２ポート弁は、上記押し下げ回動位置以外の回動位置でハンドルを押し下げようとしても、上記押し下げ防止ピンが上記プレートに衝突するためハンドルを押し下げることができないが、上記ハンドルを押し下げ回動位置まで回動すると、上記押し下げ防止ピンの位置が上記プレートに設けた係合孔の位置と合うために上記ハンドルを押し下げることができ、上記押し下げ防止ピンを上記係合孔に係合させることができる。
この状態で上記ハンドルを回動すると、上記プレートは上記押し下げ防止ピンによりハンドルに係合しているため、上記プレートをその係合溝が上記シャフトの係止溝から離脱する位置まで回動させることができ、この位置で上記ハンドルを持ち上げると、該ハンドルに連結されている上記ボンネットを上記弁ボディから取り外すことができる。
【００１５】
また、上記弁ボディに上記ボンネットを挿入し、上記ハンドルを押し下げ回動位置まで回動して押し下げると、上記押し下げ防止ピンを上記係合孔に係合させることができ、この状態で上記ハンドルを回動すると上記プレートをその係合溝が上記シャフトの係止溝に係合する位置まで回動させることができるから、上記ボンネットを上記弁ボディに取り付けることができる。
したがって、上記保守簡易形２ポート弁は、上記ハンドルを押し下げたり、回動したり、持ち上げるだけで、上記ボンネットを上記弁ボディから取り外したり上記弁ボディに取り付けることができるから、弁ボディとボンネットの分解・組立が容易である。
【００１６】
また、上記保守簡易形２ポート弁は、上記ハンドル、プレート、カラー、ベローズ等の部品が上記ボンネットに連結されていて上記ボンネットを上記弁ボディから取り外す際にこれらの部品も一緒に取り外すことができるから、分解・組立が容易であると共に、弁の保守が簡易である。
また、上記保守簡易形２ポート弁は、上記ハンドルを押し下げ回動位置まで回動して押し下げることによりハンドルがプレートと係合するため、ハンドルを回動しただけではプレートを回動させることができない。
したがって、上記保守簡易形２ポート弁は、上記ハンドルを誤って回動させても上記ボンネットの固着状態が解除されるということがないから、簡単に分解できる構造でありながら、ボンネットが誤動作で弁ボディから離脱するということがなく、安全である。
【００１７】
【発明の実施の形態】
図１〜図１７は本発明に係る保守簡易形２ポート弁の一実施例を示すものであり、図１は該保守簡易形２ポート弁１の縦断面図、図２は該保守簡易形２ポート弁１の弁ボディ２から後述するボンネットアセンブリー３を取り外した状態を示す図、図３は該保守簡易形２ポート弁１の平面図、図４は図３におけるＢ−Ｏ線での断面図、図５は同Ｃ−Ｏ線での断面図、図６は同Ｄ−Ｏ線での断面図、図７は同Ｅ−Ｏ線での断面図、図８は該保守簡易形２ポート弁１に用いられるプレートの斜視図、図９は同コイルばねの斜視図である。
また、図１０〜図１２は該保守簡易形２ポート弁１の弁ボディ２からボンネットアセンブリー３を取り外す際の動作状態を示す図であり、図１３は図１１におけるＦ−Ｏ線での断面図、図１４〜図１７は該保守簡易形２ポート弁１の弁ボディ２にボンネットアセンブリー３を取り付ける際の動作状態を示す図である。
【００１８】
該保守簡易形２ポート弁１は、図１に示すように、２つのポート１１、１２と、これらのポート１１、１２を連通させる流路中の弁座１３と、該弁座１３に対向する開口１４とを備えた弁ボディ２と、該開口１４を気密に塞ぐボンネット２１と、該ボンネット２１内に設けた空気圧シリンダ２２により駆動され上記弁座１３を開閉する弁体１５と、該ボンネット２１を上記弁ボディ２に着脱自在に取り付ける取付け手段とを備えている。
該ボンネット２１には、後述するカラー２３、ハンドル３１、プレート４１、ベローズホルダー２５、ベローズ２６等の部品が連結しており、該ボンネット２１及びこれに連結された部品でボンネットアセンブリー３を構成している。
【００１９】
該取付け手段は、上記ボンネット２１内を通り該ボンネット２１の上端部よりも上方に突出し上端部に係止溝１７を有する上記弁ボディ２に固着された４個（または２個）のシャフト１６（図２参照）と、上記ボンネット２１の上端部に固着したカラー２３に回動可能且つ押し下げ回動位置で押し下げ可能に取り付けられたハンドル３１と、上記ボンネット２１の上端部と上記ハンドル３１との間に回動可能に設けられて回動により上記シャフト１６の係止溝１７に係合または離脱する係合溝４２を有するプレート４１（図１，図４，図８参照）と、上記ハンドル３１の押し下げ回動位置で上記プレート４１に設けた係合孔４４（図３，図４，図８参照）に係合し上記ハンドル３１の回動を上記プレート４１に伝達する上記ハンドル３１に固着された押し下げ防止ピン３５（図４参照）とを有する。
該押し下げ防止ピン３５は、ハンドル３１に形成された円孔３８（図４参照）に圧入されることによりハンドル３１に固着される。
【００２０】
上記カラー２３は、図１に示すように、上記ボンネット２１の上端部より上方に突出する中空円筒状のガイド部２３ａと、該ガイド部２３ａの下端に設けられ上記ボンネット２１の上端部に固着された拡径フランジ部２３ｂとを有しており、該ガイド部２３ａは上記ハンドル３１及び上記プレート４１をそれらの中央部分に設けた貫通孔３２，４２を介してガイドしている。
上記ガイド部２３ａは、上記ハンドル３１及び上記プレート４１を離間する方向に付勢するコイルばね５５（図１，図９参照）が遊嵌されており、該ガイド部２３ａの上端部には該コイルばね５５の付勢力により上方に移動しようとする上記ハンドル３１の移動を阻止する固定リング３６が着脱自在に装着されている。
【００２１】
上記ハンドル３１の貫通孔３２は下方部分が拡径されて上記コイルばね５５が収納される空間を兼ねており、貫通孔３２の上方部分は上方に開くように傾斜しており、貫通孔３２の最上端は蓋３４により覆われている。
上記コイルばね５５は、その一方の端部５５ａが上記ハンドル３１に連結され、その他方の端部５５ｂが上記プレート４１に連結されており、該端部５５ｂは上記プレート４１の貫通孔３２に形成されている連結用の切欠部４５に挿入されている。
【００２２】
上記コイルばね５５は、上記ハンドル３１及び上記プレート４１を離間する方向に付勢するだけでなく、上記ハンドル３１を上記プレート４１に対し相対的に回転させることにより回転方向の付勢力を蓄積することができるから、上記ハンドル４１の押し下げ動作をやめると蓄積された軸方向の付勢力により上記ハンドル３１と上記プレート４１とを相互に離間させて上記ハンドル３１に固着された押し下げ防止ピン３５と上記プレート４１に設けた係合孔４４との係合を解除すると共に、蓄積された回転方向の付勢力により上記ハンドル３１または上記プレート４１を逆方向に相対回転させて元の回転位置に復帰させるものである。
【００２３】
上記ボンネット２１には、上記空気圧シリンダ２２のシリンダ孔２４が形成されており、上記弁体１５に連結された弁棒２９は、上記ボンネット２１を気密に貫通して空気圧シリンダ２２のピストン２８に連結されており、弁体１５とボンネット２１との間に復帰ばね５４が縮設されている。また、ボンネット２１には、ピストン２８で区画されたベローズプレート２６側の圧力室２７に圧縮空気を給排するポート３０が開設されている。
【００２４】
上記ボンネット２１は、その下端部に金属製のベローズホルダー２５を止めリング５１を介して着脱自在に固着すると共に、該ベローズホルダー２５を上記弁ボディ２の開口１４に設けた環状の段部にＯリング５２を介して収納することにより、上記弁ボディ２の開口１４を気密に塞いでおり、該ベローズホルダー２５の内周面と上記弁体１５には、上記弁棒２９を囲む金属製のベローズ２６の両端が溶接等により気密に固着されている。
上記弁体１は弁座１３との対向面に環状の取付溝１８を設けており、この取付溝１８に、弁座１３をシールするＯリング５３を、その一部を取付溝１８から突出させて取付けている。従来の弁座は、図１８に示すように、Ｏリング１１４に対抗する面が平面であるが、上記弁座１３は、図１に示すように、弁座の形状をＲをつけた形状にしてもよい。
【００２５】
上記ハンドル３１は、図３に破線の長円で示すように、その下面に上記シャフト１６の上端が相対的に回動できるように挿入された４個の長円溝３７を有しており、該長円溝３７の一方の内周壁が上記シャフト１６の上端に衝突する回動位置は上記ハンドル３１の押し下げ回動位置と一致し、該長円溝３７の他方の内周壁が上記シャフト１６の上端に衝突する回動位置は上記プレート４１の係合溝４３が上記シャフト１６の係止溝１７から離脱する位置と一致するように設定している。
【００２６】
したがって、上記ハンドル３１を回動した際にその長円溝３７の内周壁が上記シャフト１６の上端に衝突してハンドル３１の回動が停止した位置が、ハンドル３１の押し下げ回動位置あるいは上記シャフト１６の係止溝１７からの離脱位置になるから、上記ハンドル３１あるいは上記プレート４１の位置決めが簡単にできる。
上記プレート４１は、図８に示すように、１個の上記貫通孔４２と、４個の上記係合溝４３と，２個の上記係合孔４４を有し、この他に後述するロックピン６５が挿入されるロック孔４７を１個と、六角孔付きボルト６１の頭部が挿入される長円孔４６を２個と、突出ピン５６が相対的に回動できるように挿入された１個の円孔４８と有し、該プレート４１の下面の上記ロック孔４７の近傍には、図１３に示すように、上記ロックピン６５の先端部６５ａの先端のみが挿入される小さなロック窪み４９を有する。
【００２７】
上記カラー２３は、図５に示すように、その拡径フランジ部２３ｂを上記ボンネット２１の上端部に設けた段部６０に載置すると共に、上記ボンネット２１の上端部に螺合される六角孔付きボルト６１がスペーサ６２を介して拡径フランジ部２３ｂを上記段部６０に押し付けることにより、上記カラー２３を上記ボンネット２１の上端部に着脱自在に固着している。
また、上記六角孔付きボルト６１の頭部は、図５に示すように、上記プレート４１の長円孔４６内に挿入されており、上記プレート４１の長円孔４６の一方の内周壁が上記ボルト６１の頭部に衝突する回動位置が、上記プレート４１の係合溝４３が上記シャフト１６の係止溝１７に係合する位置と一致し、上記プレート４１の長円孔４６の他方の内周壁が上記ボルト６１の頭部に衝突する回動位置が、上記プレート４１の係合溝４３が上記シャフトの係止溝１７から離脱する位置と一致するように設定されている。
上記拡径フランジ部２３ｂの上面には上記プレート４１が載置されると共に、該拡径フランジ部２３ｂとプレート４１との間にはＯリング５７が設けられている。
【００２８】
上記ボンネット２１は、図６に示すように、その先端部がボンネット２１の上端部より突出するようにばね６６により付勢された先端部６５ａがテーパ状のロックピン６５と、該ロックピン６５を収納するロックピン穴６７とを有し、該ロックピン６５は、上記プレート４１の係合溝４３が上記シャフト１６の係止溝１７に係合する回動位置（すなわち、ボンネットアセンブリ３が弁ボディ２に固着されている位置）では、上記プレート４１のロック孔４７に挿入されることにより上記プレート４１と上記ボンネット２１とをロックしている。
また、上記ロックピン６５は、上記プレート４１の係合溝４３が上記シャフト１６の係止溝１７から離脱する回動位置では、上記ロックピン６５が上記ロック孔４７から離脱してその先端部６５ａの先端が上記ロック窪み４９に挿入されることにより上記プレート４１と上記ボンネット２１とをロックしている。
【００２９】
上記ハンドル３１は、図７に示すように、その先端がハンドル３１の下面から下方に突出するように付勢された突出ピン５６を有し、該突出ピン５６は、上記ハンドル３１内に設けた貫通孔６９内に摺動可能に収納されており、該貫通孔６９の上端部には鋼球７０が圧入されており、該鋼球７０と突出ピン５６との間には突出ピン５６を付勢するばね５８が設けられている。
上記突出ピン５６は、該ピン５６よりも大径の上記プレート４１の円孔４８内に相対的に回動できるように挿入されると共に、ボンネット２１が弁ボディ２に固着される位置（図３に示す固定状態）では上記ハンドル３１の逆方向（すなわち、押し下げ回動位置へ向かう回転方向とは逆の方向）の回動を防止している。
【００３０】
上記保守簡易形２ポート弁１の弁ボディ２からボンネットアセンブリー３を取り外す動作を、図３及び図１０〜図１２を用いて説明する。
図３の状態は、ボンネットアセンブリ３が弁ボディ２に固定されている状態であり、プレート４１はその係合溝４３がシャフト１６の係止溝１７に係合する回動位置にあり、プレート４１のロック孔４７にロックピン６５が挿入されている状態にある。
図３の状態では、ハンドル３１の押し下げ防止ピン３５の位置とプレート４１の係合孔４４の位置がずれているので、ハンドル３１を押し下げようとしても、押し下げ防止ピン３５がプレート４１の上面に衝突しハンドル４１を押し下げることができない。
【００３１】
図３に示す固定状態を基準位置とし、この状態からハンドル４１を５°右回転して図１０に示すような状態にすると、ハンドル４１は押し下げ防止ピン３５の位置とプレート４１の係合孔４４の位置が一致する押し下げ回動位置に達するので、ハンドル４１を押し下げて押し下げ防止ピン３５を係合孔４４に係合させることができる。
この状態からハンドル３１を左方向に回動すると、プレート４１は押し下げ防止ピン３５によりハンドル３１に係合しているためプレート４１はハンドル３１と共に回動し、プレート４１が回動するとロックピン６５の先端部６５ａのテーパ状になっている部分（図６参照）がプレート４１のロック孔４７の内周壁により押されてロックピン６５がばね６６の付勢力に抗して押し下げられるから、プレート４１はロックピン６５の先端部６５ａを乗り越えて回動し、ロックピン６５とロック孔４７の係合によるロックを解除する。
【００３２】
更に、図１０に示す状態からハンドル３１を１０°左回転（基準位置からは５°左回転）すると、図１１に示すように、プレート４１はハンドル３１と共に１０°左回転（基準位置からは１０°左回転）してプレート４１の係合溝４３がシャフト１６の係止溝１７から離脱する位置に達するから、ボンネットアセンブリ３を弁ボディ２から取り外すことができる。
すなわち、ハンドル３１はカラー２３を介してボンネット２１に連結しているので、図１１に示す状態でハンドル３１を持ち上げると、ボンネット２１及びこれに連結された部品をシャフト１６から引き抜くことができる。
上記ハンドル３１の５°右回転、１０°左回転の回転角度は、上記ハンドル３１の長円溝３７の内周壁がシャフト１６の上端に衝突する位置で設定することができる。
【００３３】
そして、図１１に示す状態でハンドル３１を持ち上げると、プレート４１はコイルばね５５を介してハンドル３１に連結されているので、ハンドル３１に固着された押し下げ防止ピン３５がプレート４１に設けた係合孔４４から抜け出ると共に、プレート４１はコイルばね５５に蓄積された回転方向の付勢力によりハンドル３１に対し５°右回転（すなわち、ハンドル３１はプレート４１に対し５°左回転）して元の相対回転位置に復帰する。
上記プレート４１が基準位置から１０°左回転した位置は、ロックピン６５の先端部６５ａの先端がプレート４１の下面のロック窪み４９に挿入されてプレート４１とボンネット２１とが互いにロックされる位置でもあるため、図１１に示す状態からハンドル３１を持ち上げてボンネットアセンブリ３を取り出すと、プレート４１と共にボンネット２１もハンドル３１に対し５°右回転するから、図１２に示すように、プレート４１及びハンドル３１は基準位置から５°左回転した位置の状態で、ボンネット２１は基準位置から５°右回転した位置の状態で取り出される。
【００３４】
上記保守簡易形２ポート弁１の弁ボディ２にボンネットアセンブリー３を取り付ける動作を、図１４〜図１７を用いて説明する。
図１４は、弁ボディ２にボンネットアセンブリー３を挿入した状態を示しており、この状態ではプレート４１はボンネットアセンブリー３を取り出した時と同じように基準位置から１０°左方向に回転した位置にあり、ハンドル４１はプレート４１と同じく基準位置から１０°左方向に回転した位置にあり、ボンネット２１は基準位置にある。
この状態からハンドル４１を５°右回転（基準位置からは５°左回転）すると、図１５に示すように、ハンドル４１は押し下げ回動位置に達するので、ハンドル４１を押し下げて押し下げ防止ピン３５を係合孔４４に係合させることができる。
【００３５】
この状態からハンドル３１を１０°右回転（基準位置からは５°右回転）すると、図１６に示すように、プレート４１はハンドル３１と共に１０°右回転して基準位置に戻るから、プレート４１の係合溝４３がシャフト１６の係止溝１７に係合しボンネットアセンブリ３を弁ボディ２に固着すると共に、プレート４１のロック孔４７にロックピン６５が挿入されてプレート４１がボンネット２１にロックされる。
この状態からハンドル３１を５°左回転すると、図１７に示すように、ハンドル３１は基準位置に戻り、図３に示す固定状態と同じになる。
【００３６】
上記保守簡易形２ポート弁１は、ハンドル３１を押し下げたり、回動したり、持ち上げるだけで、ボンネット２１を弁ボディ２から取り外したり、あるいは弁ボディ２に取り付けることができるから、弁ボディとボンネットの分解・組立が容易である。
また、上記保守簡易形２ポート弁１は、ハンドル３１、プレート４１、カラー２３、ベローズ２６等の部品がボンネット２１に連結されていてボンネット２１を弁ボディ２から取り外す際にこれらの部品も一緒に取り外すことができるから、分解・組立が容易であると共に、該２ポート弁１の保守が簡易である。
また、上記保守簡易形２ポート弁１は、ハンドル３１を押し下げ回動位置まで回動して押し下げることによりプレート４１と係合するため、ハンドル３１を回動しただけではプレート４１を回動させることができない。
したがって、上記保守簡易形２ポート弁１は、ハンドル３１を誤って回動させてもボンネット２１の固着状態が解除されるということがないから、簡単に分解できる構造でありながら、ボンネット２１が誤動作で弁ボディ２から離脱するということがなく、安全である。
【００３７】
【発明の効果】
以上に詳述したように、本発明によれば、弁ボディとボンネットの分解・組立が容易で、ボンネットが誤動作で弁ボディから離脱するということがない、保守が簡易な２ポート弁を提供することができる。
【図面の簡単な説明】
【図１】本発明に係る保守簡易形２ポート弁の一実施例を示す縦断面図である。
【図２】該保守簡易形２ポート弁の弁ボディからボンネットアセンブリーを取り外した状態を示す図である。
【図３】該保守簡易形２ポート弁の平面図である。
【図４】図３におけるＢ−Ｏ線での断面図である。
【図５】同、Ｃ−Ｏ線での断面図である。
【図６】同、Ｄ−Ｏ線での断面図である。
【図７】同、Ｅ−Ｏ線での断面図である。
【図８】該保守簡易形２ポート弁に用いられるプレートの斜視図である。
【図９】同、コイルばねの斜視図である。
【図１０】該保守簡易形２ポート弁の弁ボディからボンネットアセンブリーを取り外す際の動作状態を示す図である。
【図１１】同、別の動作状態を示す図である。
【図１２】同、別の動作状態を示す図である。
【図１３】（イ）は図１１におけるＦ−Ｏ線での断面図であり、（ロ）は（イ）の部分拡大断面図である。
【図１４】該保守簡易形２ポート弁の弁ボディにボンネットアセンブリーを取り付ける際の動作状態を示す図である。
【図１５】同、別の動作状態を示す図である。
【図１６】同、別の動作状態を示す図である。
【図１７】同、別の動作状態を示す図である。
【図１８】従来公知の２ポート弁を示す縦断面図である。
【符号の説明】
１          保守簡易形２ポート弁
２          弁ボディ
３          ボンネットアセンブリー
１６        シャフト
１７        係止溝
２１        ボンネット
３１        ハンドル
３５        押し下げ防止ピン
４１        プレート
４３        係合溝
４４        係合孔
【図１】
0003796150.tif 000002
【図２】
0003796150.tif 000003
【図３】
0003796150.tif 000004
【図４】
0003796150.tif 000005
【図５】
0003796150.tif 000006
【図６】
0003796150.tif 000007
【図７】
0003796150.tif 000008
【図８】
0003796150.tif 000009
【図９】
0003796150.tif 000010
【図１０】
0003796150.tif 000011
【図１１】
0003796150.tif 000012
【図１２】
0003796150.tif 000013
【図１３】
0003796150.tif 000014
【図１４】
0003796150.tif 000015
【図１５】
0003796150.tif 000016
【図１６】
0003796150.tif 000017
【図１７】
0003796150.tif 000018
【図１８】
0003796150.tif 000019